(57)【要約】      （修正有）【課題】内部に羽根ユニット及び羽根駆動モーターを備えた筒型ケースが首振り運動を行う筒型首振り扇風機において、構造の強度を強化し、耐久性の向上を図る。【解決手段】筒型ケース（２０）の中空空間部（２１）に一つの支持中柱（６０）を設置する。支持中柱（６０）の頂端が筒型ケースの頂部に結合固定してある。支持中柱（６０）の下端近傍部は筒型ケース（２０）の底部を貫通して筒型ケースに固定してある。支持中柱（６０）のうち筒型ケース（２０）より下方に突き出ている部分が、台座（１０）に設けられた上、下の二箇所の支持部に回動可能に支持してある。首振り駆動装置（５０）が台座（１０）の内部に組み付けてあり、支持中柱（６０）の下端近傍部（６２）と連結してある。【選択図】図１
0003136860.tif 000002
【実用新案登録請求の範囲】
【請求項１】
一つの台座（１０）、一つの筒型ケース（２０）、一つの羽根ユニット（３０）、一つの羽根駆動モーター（４０）及び一つの首振り駆動装置（５０）を有し、
前記羽根ユニット（３０）及び前記羽根駆動モーター（４０）はいずれも前記筒型ケース（２０）の中空空間部（２１に設置され、前記筒型ケースの側面開口部にはメッシュガード（２２）が設けられ、前記首振り駆動装置は前記台座の内部に取り付けられて前記筒型ケースに首振り運動を行わせる筒型首振り扇風機であって、
前記筒型ケースの内部の中空空間部（２１）中には一つの支持中柱（６０）が設けられ、
前記支持中柱の頂端（６１）が前記筒型ケース（２０）の頂部に結合固定され、前記支持中柱（６０）の下端近傍部（６２）が前記筒型ケースの底部に支持され、前記台座（１０）に設けられた上、下の支持部（６２，６６）の二箇所で支持してあり、
且つ、前記首振り駆動装置（５９）が、前記支持中柱（６０）の下端近傍部（６２）に連結してある筒型首振り扇風機。
【請求項２】
前記支持中柱（６３）は、その片側の中間高さに、羽根ユニットを締結するための一つの軸柱（６３）を有し、
前記羽根駆動モーター（４０）は、前記支持中柱（６３）の側面に装着され、前記軸柱（６３）と一定の間隔を保っており、
前記羽根駆動モーター（４０）と前記羽根（３０）は一つのベルト（７０）によって連結されている請求項１記載の筒型首振り扇風機。
【請求項３】
一つのスプレーユニット（８０）を更に有し、
前記スプレーユニットは、一つのノズルユニット（８１）、一つの導液配管（８２）及び一つのポンプ（８３）を含み、前記ノズルユニット（８１）は筒型ケースのメッシュガード（２２）の外部に円周状に設置され、前記ポンプ（８３）は前記支持中柱の側面に取り付けてある請求項１記載の筒型首振り扇風機。
【請求項４】
前記首振り駆動装置（５０）は、
２個一組の出力軸駆動モーター（５１）と、二つの変速ユニット（５２）及び等間隔に配置された二つの連動アーム（５３）を含み、前記二つの連動アーム（５３）の第一端（５３１）は二つの変速ユニット（５２）の出力側（５２１）とそれぞれ連結され、前記各連動アーム（５３）の第二端（５３２）には一つの締結座（５７）が締結され、且つ、前記締結座が前記支持中柱の下端近傍部（６２）と結合してある請求項１記載の筒型首振り扇風機。
【考案の詳細な説明】
【技術分野】
【０００１】
本考案は筒型首振り扇風機に係り、特に、筒型ケースの内部に一つの支持中柱を増設した斬新構造を有する筒型首振り扇風機に関する。
【背景技術】
【０００２】
筒型首振り扇風機の構造形態は工業用大型扇風機製品に採用されることが多く、ここで述べる筒型首振り扇風機構造は主に羽根ユニットを設置するための一つの筒型ケース、筒型ケースの底部には筒型ケースにスイング動作を行わせる駆動装置を設置するための一つの台座によって構成されている。
【０００３】
筒型首振り扇風機の既存関連特許は台湾特許公告番号第２２４３１０号の“首振り扇風機構造”が掲げるように、既存の首振り扇風機構造における筒型ケースのスイング構造は該当特許の図４Ａ、図４Ｂが示すように、筒型ケースの底部に一つのホルダーを設置し、そのホルダーを利用して台座の内部に設けられた駆動装置と連結させるという仕組みである。但し、このような公知構造には以下の問題点が存在する。
【特許文献１】台湾特許公告番号第２２４３１０号公報
【考案の開示】
【考案が解決しようとする課題】
【０００４】
前述の説明から分かるように、筒型首振り扇風機は大型汎用製品に適用されることが多いため、製品の構造強度は設計の重点要素とされる。しかし、前述の公知構造の設計では、筒型ケースは筒状構造体を唯一の支持構造としているため、その内部にある羽根ユニット及び駆動モーターの耐荷重力はやや不足し、筒型ケースが容易に変形してしまい、使用寿命の低下につながるおそれがある。
【０００５】
よって、上述の旧式構造の使用上における問題点を改善し、より理想的で実用性を伴った新型構造を開発することは消費者が待望することであり、関連業者の目指すところでもある。本考案者は長年関連製品の設計開発に携わってきた経験を活かし、上述の目標を達成すべく、工夫を凝らした設計を取り入れ、慎重に評価を重ねた後にやっとこのような実用性をもった考案を案出した。
【０００６】
本考案の主な目的は一種の筒型首振り扇風機構造を提供し、既存の筒型首振り扇風機構造に見られる筒型ケースの耐荷重力の不足、使用寿命の低下等の問題点を改善することである。
【課題を解決するための手段】
【０００７】
本考案は、台座、筒型ケース、羽根ユニット、羽根駆動モーター及び首振り駆動装置を含み、羽根ユニット及び羽根駆動モーターが筒型ケースの中空空間部の中に設置され、筒型ケースの側面開口部にはメッシュガードを装着し、首振り駆動装置が台座の内部に組み付けられ、筒型ケースに首振り運動を行わせる構成の筒型首振り扇風機であって、
筒型ケース内の中空空間部に一つの支持中柱を設置し、その頂端を筒型ケースの頂部に結合固定し、支持中柱の底面を筒型ケースの底部及び台座に設けられた上、下の支持部の二箇所に支持させ、さらに支持中柱の下端近傍部を首振り駆動装置に連結させた構成である。
【考案の効果】
【０００８】
この独創的な新型設計により、本考案は従来の技術に較べ、以下の進歩性を有する。
その一：主に支持中柱の増設によって、筒型ケースの構造強度を確実に強化し、変形防止及び使用寿命延長の効果を兼備した耐久性、実用性に優れた構造を実現する。
その二：首振り駆動装置の支持中柱の下端近傍部への直接な作用による支持中柱の往復回動動作は、駆動時の動力の摩耗を最小限に抑え、より強い伝動力をもった安定性、実用性及び進歩性に優れた構造を実現する。
【考案を実施するための最良の形態】
【０００９】
以下、本考案の実施例になる扇風機について説明する。
【実施例１】
【００１０】
図１は本考案の実施例になる筒型首振り扇風機の分解斜視図、図２は筒型首振り扇風機を更に分解して示す斜視図、図３は型ケース及び支持中柱を示す図である。
【００１１】
筒型首振り扇風機Ａは、一つの台座１０、一つの筒型ケース２０、一つの羽根ユニット３０、一つの羽根駆動モーター４０及び一つの首振り駆動装置５０によって構成されている。
【００１２】
羽根ユニット３０及び羽根駆動モーター４０は共に筒型ケースの中空空間部２１の内部に設置してある。筒型ケース２０の側面開口部にはメッシュガード２２が設けてある。首振り駆動装置は、台座１０の内部に組み込んであり、筒型ケース２０及び羽根ユニット３０に一定角度の首振り往復運動を行わせる。
【００１３】
筒型ケース２０の中空空間部２１の内部には一つの支持中柱６０が垂直に設けられ、その支持中柱６０の頂端６１は筒型ケース２０の頂部に溶接、締結等で結合、固定され、支持中柱６０の下端近傍部６２は筒型ケース２０の底部に溶接、締結等で結合固定してあり、筒型ケース２０の底部を貫通して筒型ケース２０より下方に突き出ている。支持中柱６０の下端により、下方に突出部６４が突き出ている。支持中柱６０のうち筒型ケース２０より下方に突き出ている部分が、台座１０の上、下の支持部６５、６６の二箇所に回動可能に支持されている。
【００１４】
支持中柱６０の前方の中間高さに、羽根ユニット３０を装着するための一つの軸柱６３が設けてある。羽根駆動モーター４０は支持中柱６０の側面に装着され、軸柱６３と一定の間隔を保っている。羽根駆動モーター４０の出力軸４１と羽根ユニット３０の中心座３１にはそれぞれプーリー４２、３２が固定してあり、一つのベルト７０が二つのプーリー４２、３２の間に掛け渡してある。羽根駆動モーター４０が駆動されると、羽根ユニット３０が回転される。
【００１５】
筒型首振り扇風機Ａには一つのスプレーユニット８０が設置してある。スプレーユニットは、一つのノズルユニット８１、一つの導液配管８２、及び一つのポンプ８３を有する構成である。ノズルユニット８１は筒型ケース２０のメッシュガード２２の外部に円周状に設置してあり、ポンプ８３は支持中柱６０の側面に取り付けてある。
【００１６】
羽根駆動モーター４０が駆動すると、軸柱６３に支持された羽根ユニット３０が、二つのプーリー３２、４２と連結するベルト７０を介して回転される。そして、羽根ユニット３０が回転した時、その出力風力の働きによって、ポンプ８３によって導液配管８２に供給された水がノズルユニット８１より霧吹き状に噴出される。
【００１７】
また、図２、図４、図５が示すように、首振り駆動装置５０は、２個一組の出力軸駆動モーター５１と、二つの変速ユニット５２と、等間隔に配置された二つの連動アーム５３を有する構成である。二つの連動アーム５３の第一端５３１は二つの変速ユニット５２の出力側５２１（一つのクランクとしてもよい）とそれぞれ連結してある。二つの連動アーム５３の第二端５３２の夫々には締結座５７が回動可能に取り付けてある。締結座５７は左右対称の鉄片によって構成され、支持中柱６０の下端近傍部６２を挟んで支持中柱６０に固定してある。
【００１８】
台座１０は、上面に軸孔１１を有する。台座１０の内部の固定座５６には一つの締結孔５６１が形成してあり、この締結孔５６１に一つのベアリング５５が設置してある。支持中柱６０は、その下端近傍部６２が軸孔１１を貫通し、且つ、下端の突出部６４をベアリング５５に装着されて、上支持部６５と下支持部６６との二箇所で支持されて垂直の姿勢で回動可能に支持されている。これにより、二つの連動アームを有する首振り駆動装置５０を構成している。
【００１９】
次に、本考案の実施例になる筒型首振り扇風機の使用、動作をについて説明する。
【００２０】
図６は駆動モーター５１を利用した双軸出力方式を示す。２個一組の出力軸駆動モーター５１が駆動されると、二つの変速ユニット５２を介して二つの出力側５２１（クランク）が互いに逆方向に回動を開始し、二つのアーム５３が動作し、支持中柱６０が時計方向に回動を開始する。支持中柱６０が図６（Ａ）に示す角度位置まで回動されると、２個一組の出力軸駆動モーター５１が逆転し、二つの出力側５２１がそれまでとは反対の方向に回動し、支持中柱６０は反時計方向に回動を開始し、支持中柱６０は図６（Ｂ）に示す状態を経て図６（Ｃ）に示す角度位置まで回動される。その後度、２個一組の出力軸駆動モーター５１が再度反転し、二つの出力側５２１がそれまでとは反対の方向に回動し、支持中柱６０は再度時計方向に回動する。このように、支持中柱６０は時計方向に回動と反時計方向の回動とを繰り返し、筒型ケース２０が首振り（スイング）する。
【００２１】
図７、図８に示すように、連動アーム５３は弧形形状である。連動アーム５３の第二端５３２に一つの締結座５７が取り付けてある。締結座５７が支持中柱６０の下端近傍部６２を挟んで支持中柱６０に固定してある。また、位置決めパーツ５７１（ボルトを用いてもよい）による締め付け方式で、締結座５７は支持中柱６０の下端近傍部６２に結合してある。
【００２２】
本考案の実施例になる筒型首振り扇風機は、以下に記載する効果を有する。
１．筒型ケース２０の内部に支持中柱６０を増設するという斬新設計を採用しており、その支持中柱６０の頂部６１及び下端近傍部６２は筒型ケース２０の構造強度を確実に強化し、変形防止及び使用寿命の効果を兼備した耐久性、実用性に優れた構造を実現している。
２．首振り駆動装置５０の直接な作用によって支持中柱６０の下端近傍部６２をスイングさせる動作は駆動時の動力の磨耗を最小限に抑え、より強い伝動力をもった安定性、実用性に優れた構造を実現している。
３．羽根駆動モーター４０及びポンプ８３を支持中柱６０の両側に対称に設置したことにより、三者間に三角形の安定した状態を保ち、構造全体が首振り運動を行った時、低騒音、安定性のよい出力効果を得ることができる。
４．首振り駆動装置５０の設置により、二つの出力側５２１（クランク）の駆動によって二つの連動アーム５３が反復スイング動作を行ったとき、平行に設置されている二つ連動アーム５３及び締結座５７を介して、支持中柱６０は、安定かつバランスの良く往復回動される。
【００２３】
上述の実施例は本考案を具体的に説明したものであり、文中では特定の専門用語を用いて説明しているが、本実用新案の特許範囲を限定するものではなく、この技術分野を熟知した者は本考案の精神及び原則を逸脱しない限り、本考案に変更または改良を加えることができる。しかし、それらの変更または改良は全て実用新案登録請求の範囲に含まれるものとする。
【図面の簡単な説明】
【００２４】
【図１】本考案の実施例になる筒型首振り扇風機の分解斜視図である。
【図２】図１の筒型首振り扇風機を更に分解して示す斜視図である。
【図３】図１の筒型首振り扇風機の筒型ケース及び支持中柱を示す図である。
【図４】図１の筒型首振り扇風機の正面図である。
【図５】首振り駆動装置の斜視図である。
【図６】図５の首振り駆動装置の動作を示す図である。
【図７】図５の首振り駆動装置の平面図である。
【図８】首振り駆動装置の一部を拡大して示す図である。
【符号の説明】
【００２５】
Ａ  筒型首振り扇風機
１０  台座
１１  軸孔
２０  筒型ケース
２１  中空空間部
２２  メッシュガード
３０  羽根ユニット
３１  中心座
３２  プーリー
４０  羽根駆動モーター
４１  出力軸
４２  プーリー
５０  首振り駆動装置
５１  駆動モーター
５２  変速ユニット
５２１  出力側
５３  連動アーム
５３１  第一端
５３２  第二端
５５  ベアリング
５６  固定座
５７  締結座
５７１  位置決めパーツ
６０  支持中柱
６１  頂端
６２  下端近傍部
６３  軸柱
６４  突出部
６５  上支持部
６６  下支持部
７０  ベルト
８０  スプレーユニット
８１  ノズルユニット
８２  導液配管
８３  ポンプ
【図１】
0003136860.tif 000003
【図２】
0003136860.tif 000004
【図３】
0003136860.tif 000005
【図４】
0003136860.tif 000006
【図５】
0003136860.tif 000007
【図６】
0003136860.tif 000008
【図７】
0003136860.tif 000009
【図８】
0003136860.tif 000010